(57)【要約】      （修正有）【課題】洗面脱衣室や浴室、便所等の小空間内において、湿気や臭気の排出と清浄な空気の導入とを効率よく行える換気性能を具備した給排気断熱サッシを提供する。【解決手段】本給排気断熱サッシは、縦長矩形の枠体と、枠体の中間部に装着された嵌め殺し窓４と、枠体の上部に設けられた換気扇３と、枠体の下部に設けられた目隠しガラリ付きの給気口６５と、給気口６５の屋内側に着脱自在に重畳された給気清浄フィルタ６６と、給気清浄フィルタ６６の屋内側に昇降自在に保持されて、下降位置では給気口６５を全閉した状態で施錠可能となり、上昇位置では給気口６５を全開する状態で停止可能かつ給気清浄フィルタ６６の交換可能となる上げ下げ窓７と、を具備するものである。【選択図】図３
0003149471.tif 000002
【実用新案登録請求の範囲】
【請求項１】
断熱枠材からなる縦長矩形の枠体と、
断熱框に透光性面材を嵌め込んで上記枠体の上下方向における中間部に装着された嵌め殺し窓と、
上記枠体の上部に設けられて屋内側の空気を屋外に排出する換気扇と、
上記枠体の下部に設けられた目隠しガラリ付きの給気口と、
断熱框に透光性面材を嵌め込んで上記給気口の屋内側に設けられた上げ下げ窓と、
を具備することを特徴とする給排気断熱サッシ。
【請求項２】
断熱枠材からなる縦長矩形の枠体と、
断熱框に透光性面材を嵌め込んで上記枠体の上下方向における中間部に装着された嵌め殺し窓と、
上記枠体の上部に設けられて屋内側の空気を屋外に排出する換気扇と、
上記枠体の下部に設けられた目隠しガラリ付きの給気口と、
上記給気口の屋内側に着脱自在に重畳された給気清浄フィルタと、
断熱框に透光性面材を嵌め込んで上記給気清浄フィルタの屋内側に設けられ、上記嵌め殺し窓の屋内側を昇降自在に保持されて、下降位置では給気口を全閉した状態で施錠可能となり、上昇位置では給気口を全開する状態で停止可能かつ給気清浄フィルタの交換可能となる上げ下げ窓と、
を具備することを特徴とする給排気断熱サッシ。
【請求項３】
請求項１又は２に記載の給排気断熱サッシにおいて、
上げ下げ窓は、係合手段の解除によって内倒し可能になることを特徴とする給排気断熱サッシ。
【考案の詳細な説明】
【技術分野】
【０００１】
本考案は、住宅等の浴室や洗面脱衣室、便所、納戸、廊下、或いはこれらに類する小空間等に好適に設置しうる比較的小型の窓用サッシであって、特に換気（給排気）機能と断熱機能とを複合的に具備する給排気断熱サッシに関する。
【背景技術】
【０００２】
住宅の浴室や洗面脱衣室、便所等には通常、湿気や臭気がこもるのを防ぐために、開閉可能な窓、或いは窓の代替手段としての機械的な換気設備が設置される。
【０００３】
開放した窓を通じて行われる重力換気は、屋内外の圧力差や温度差から生じる空気の膨張と対流を利用して、屋内外の空気を自然に交換するものであるから、開口面積が大きくない場合には換気効率が低下する。例えば特許文献１等には、引き違いサッシ窓の上部及び下部にそれぞれ通気用の小窓を設けて、換気効率を向上させようとする技術思想も開示されているが、洗面脱衣室や便所等の小空間に、このような大面積の窓を設置するのは現実的には困難である。また、一般的な開閉式サッシ窓の多くは、目隠し機能に関して不十分な配慮がなされておらず、更に窓面を開放すれば音も漏れることから、プライバシーや防犯性の面でも不安がある。
【０００４】
他方、換気扇を利用する機械換気であれば、換気扇の性能に応じた換気効率を得ることができる。その例として、例えば特許文献２、３等には、縦長プロポーションを有する縦辷り出し窓の枠内上部に換気扇を組み込んだ、換気扇付きサッシ窓の構造が提案されている。しかし、これらのサッシ窓に組み込まれた換気扇は、屋内の空気を屋外に排出する機能に限定されるものであるから、換気扇の性能次第では屋内側の負圧が過剰に強くなる。すると、例えば住宅にあっては、換気扇の運転時に、屋内の他の居室、例えば台所等の、臭気を含んだ空気や汚れた空気が、洗面脱衣室や浴室に流入して、当該小空間の快適性が損なわれるおそれがある。
【先行技術文献】
【特許文献】
【０００５】
【特許文献１】特開２０００−６４７４１号公報
【特許文献２】特開２００６−７７５１８号公報
【特許文献３】特開２００７−１７０１０７号公報
【考案の概要】
【考案が解決しようとする課題】
【０００６】
本考案は上記のような事情に鑑みてなされたものである。すなわち、本考案の目的は、例えば洗面脱衣室や浴室、便所その他の小空間内において、湿気や臭気の排出と清浄な空気の導入とを同時に効率よく行うことができる優れた換気性能を具備するとともに、その種の小空間用窓サッシに要求される基本的な断熱性能も複合的に兼備した、高機能タイプの給排気断熱サッシを提供することにある。
【課題を解決するための手段】
【０００７】
上記した目的を達成するため、本考案の給排気断熱サッシは、断熱枠材からなる縦長矩形の枠体と、断熱框に透光性面材を嵌め込んで上記枠体の上下方向における中間部に装着された嵌め殺し窓と、上記枠体の上部に設けられて屋内側の空気を屋外に排出する換気扇と、上記枠体の下部に設けられた目隠しガラリ付きの給気口と、断熱框に透光性面材を嵌め込んで上記給気口の屋内側に設けられた上げ下げ窓と、を具備することを特徴とする。
【０００８】
また、本考案の給排気断熱サッシは、断熱枠材からなる縦長矩形の枠体と、断熱框に透光性面材を嵌め込んで上記枠体の上下方向における中間部に装着された嵌め殺し窓と、上記枠体の上部に設けられて屋内側の空気を屋外に排出する換気扇と、上記枠体の下部に設けられた目隠しガラリ付きの給気口と、上記給気口の屋内側に着脱自在に重畳された給気清浄フィルタと、断熱框に透光性面材を嵌め込んで上記給気清浄フィルタの屋内側に設けられ、上記嵌め殺し窓の屋内側を昇降自在に保持されて、下降位置では給気口を全閉した状態で施錠可能となり、上昇位置では給気口を全開する状態で停止可能かつ給気清浄フィルタの交換可能となる上げ下げ窓と、を具備することを特徴とする。
【０００９】
さらに、本考案の給排気断熱サッシは、上記構成における上げ下げ窓が、上げ下げ窓の昇降動作を拘束している係合手段を解除することにより、内倒し可能になることを特徴とする。
【考案の効果】
【００１０】
上述のように構成される本考案の給排気断熱サッシは、枠体の上部に設けた換気扇によって屋内の空気を排出する際、枠体の下部に設けた給気口を通じて外気を屋内に取り込むことにより、換気効率を大幅に向上させる。換気（排気）と同時に外気が流入するので、屋内側の負圧が過剰に強くなることはなく、したがって換気扇の運転時に、例えば台所等の臭気を含んだ空気等が流入するのを防ぐこともできる。もちろん、外気を屋内に入れたくない場合には、給気口を閉めて換気のみを行うことも可能である。
【００１１】
さらに、給気口に給気清浄フィルタを設けて、屋内に取り込む外気を透過させれば、屋内の快適性も保持される。
【００１２】
また、本考案の給排気断熱サッシは、枠体の中間部に嵌め殺し窓が装着されて、給気口を開閉する上げ下げ窓が嵌め殺し窓の屋内側を昇降するように設けられるので、給気口の開閉にかかわらず採光が可能であり、給気口を閉じれば断熱性や遮音性の確保も容易である。嵌め殺し窓に装着する透光性面材をすりガラスや型板ガラスにしたり、屋内側にブラインドやロールスクリーンを取り付けたりすることによって、プライバシーも容易に確保される。こうして、小さい開口面積であっても、効率良く換気と採光とを実現できるので、防犯面でも有利であり、浴室や洗面脱衣室、便所、納戸、廊下その他の小空間に好適に実施することができる。
【図面の簡単な説明】
【００１３】
【図１】本考案の実施形態に係る給排気断熱サッシの屋外側正面図である。
【図２】同給排気断熱サッシの屋内側正面図である。
【図３】同給排気断熱サッシの縦断面図である。
【図４】同給排気断熱サッシのＡ−Ａ横断面図である。
【図５】同給排気断熱サッシのＢ−Ｂ横断面図である。
【図６】同給排気断熱サッシのＣ−Ｃ横断面図である。
【考案を実施するための形態】
【００１４】
以下、本考案の実施の形態について図を参照して説明する。図１は本考案の実施形態に係る給排気断熱サッシの屋外側正面図、図２は同じく屋内側正面図であり、図３は同給排気断熱サッシの縦断面図、図４〜図６は同給排気断熱サッシの要部横断面図である。
【００１５】
例示の給排気断熱サッシ１は、住宅における洗面脱衣室の外壁に設けられたもので、一般に侵入盗の侵入が困難とされる幅２５０ｍｍ以下の縦長プロポーションを有している。枠体２の四周を構成する枠材（上枠材２１、下枠材２２、左右の縦枠材２３）には、いずれも、アルミ押出型材からなる屋外側枠材と屋内側枠材との間に断熱樹脂２４を介装した断熱枠材が用いられている。枠体２の屋内側には、木製の額縁２５が取り付けられる。
【００１６】
枠体２内の上部に位置する領域には、左右の縦枠材２３の間に挟み込むようにして、換気扇３が設置されている。換気扇３は、ケース３１内にプロペラファン３２やダクト３３、シャッター３４等を組み込んでユニット化されており、屋内側の空気を屋外に排出する。該ユニットの屋内側には、通気用の溝孔を有する屋内側パネル３５が屋内側から着脱自在に取り付けられている。また、該ユニットの屋外側には、下部に斜め下向きの排気口３６を有する屋内側パネル３７が取り付けられている。排気口３６の内側には、屋外からの風の流入を防ぐための揺動片３８が取り付けられている。
【００１７】
枠体２内の中間部に位置する領域には、左右の縦枠材２３の間に挟み込まれるようにして、嵌め殺し窓４が設置されている。嵌め殺し窓４の四周を構成する框材のうち上框材４１と左右の縦框材４２には、アルミ押出型材からなる屋外側框材と屋内側框材との間に断熱樹脂４３を介装した断熱框が用いられており、これらの框材に嵌め込まれる透光性面材４４には複層ガラスが用いられている。
【００１８】
さらに、この嵌め殺し窓４と同一面をなす枠体２内の下部領域には、目隠しガラリを備えた給気口パネル６が設置されている。給気口パネル６の四周を構成する框材のうち左右の縦框材は、上記嵌め殺し窓４を構成する左右の縦框材４２との共用部材である。給気口パネル６の下框材６１にも、アルミ押出型材からなる屋外側框材と屋内側框材との間に断熱樹脂６２を介装した断熱框が用いられている。また、嵌め殺し窓４と給気口パネル６との境界部には、嵌め殺し窓４の透光性面材４４を保持する上向きの溝部と、目隠しガラリの上部を保持する下向きの溝部とが背合わせ一体的に形成された、アルミ押出型材からなる横框材６３が取り付けられている。
【００１９】
目隠しガラリは、屋外側に向かって下降傾斜する複数枚の羽根板６４により構成され、それら羽根板６４によって水平方向の視線が遮蔽されるとともに、各羽根板６４の隙間が給気口６５となっている。羽根板６４は、給気口パネル６の厚さ方向における屋外側略半部の領域に装着されている。給気口パネル６の厚さ方向における屋内側略半部の領域には、給気清浄フィルタ６６が取り付けられている。給気清浄フィルタ６６は、例えばアルミ合金製の矩形パネル内に、防虫網と活性炭入りシートとを重ねて交換可能に装着したもので、適宜の係止部材を介して、給気口パネル６の屋内側に着脱可能に取り付けられている。
【００２０】
こうして、透光性面材４４を嵌め込んだ嵌め殺し窓４と、目隠しガラリ及び給気清浄フィルタ６６を備えた給気口パネル６とが、全体の厚さを揃えて一体的に構成される。この一体的なパネル体は、左右の縦枠材２３及び下枠材２２と、換気扇３の底部に形成された下向きの溝開口を有する中枠部２６とによって囲まれる領域内に、嵌め殺し状態で取り付けられる。そして、そのパネル体の屋内側に、給気口パネル６と同程度の高さを有する上げ下げ窓７が取り付けられる。上げ下げ窓７は、左右の縦枠材２３から開口面内方向に突設したガイド片２７に沿って昇降可能に保持され、下降位置では給気口６５を全閉し、上昇位置では給気口６５を全開する。
【００２１】
上げ下げ窓７の四周を構成する框材（上框材７１、下框材７２、左右の縦框材７３）も、アルミ押出型材からなる屋外側框材と屋内側框材との間に断熱樹脂７４を介装した断熱框であり、その内側に嵌め込まれる透光性面材７５は複層ガラスである。左右の縦框材７３の屋内側には操作用の把手７６が取り付けられている。
【００２２】
上げ下げ窓７は、ガイド片２７に沿って設けられるバランサ７７の作用によって、任意の位置で停止し得るように保持される。上げ下げ窓７の上框材７１の中央付近には、上げ下げ窓７を下降位置で施錠するためのクレセント錠７８が取り付けられている。また、  上げ下げ窓７の左右両肩部には、側方に突出するラッチ７９が設けられている。これらのラッチ７９は常時、枠体２のガイド片２７に係合して、上げ下げ窓７の昇降姿勢を拘束する係合手段を構成しているが、左右両肩部の上方に突出した解除釦８１を押し下げるとラッチ７８が後退してガイド片２７との係合が外れ、上げ下げ窓７が内倒し可能になる。この操作により、上げ下げ窓７に嵌め込まれた透光性面材７５の、屋外側の表面を清掃することも可能なる。
【００２３】
このように構成される給排気断熱サッシ１によれば、下部の給気口６５を開放した状態で、上部の換気扇３を運転することにより、極めて効率よく換気を行うことができる。給気口６５から取り込まれる外気は、給気清浄フィルタ６６を透過して塵埃や昆虫類が除去され、さらに活性炭入りシートによって臭気も除去されるから、屋内の快適性が良好に保持される。外気を屋内に入れたくない場合には、給気口６５を閉めて換気のみを行うことも可能である。
【００２４】
また、この給排気断熱サッシ１は、枠体２の中間部に透光性面材４４入りの嵌め殺し窓４が装着されるとともに、枠体２の下部に設けられた給気口６５が透光性面材７５入りの上げ下げ窓７の昇降操作によって開閉されるので、常に採光が可能である。また、給気口６５を閉じることによって断熱性や遮音性も確保される。外部からの視線が気になる場合には、嵌め殺し窓４の透光性面材４４をすりガラスや型板ガラスにしたり、屋内側の額縁２５にブラインドやロールスクリーンを取り付けたりすることによって、プライバシーも容易に確保することができる。
【００２５】
なお、本考案は上記実施形態に限定されるものではなく、本考案の主旨を逸脱しない範囲で、構成部材の断面形状や材質、部材同士の取り合いや納まり等を適宜、改変可能である。
【符号の説明】
【００２６】
１  給排気断熱サッシ
２  枠体
３  換気扇
４  嵌め殺し窓
４４  透光性面材
６  給気口パネル
６４  羽根板
６５  給気口
６６  給気清浄フィルタ
７  上げ下げ窓
７５  透光性面材
【図１】
0003149471.tif 000003
【図２】
0003149471.tif 000004
【図３】
0003149471.tif 000005
【図４】
0003149471.tif 000006
【図５】
0003149471.tif 000007
【図６】
0003149471.tif 000008